(57)【要約】      （修正有）【課題】軽量で作業性の良い静電気を中和できる手袋として提供する。また、人間が手に嵌めていることで無意識のうちに静電気を中和して危険を回避できる手袋を提供する。【解決手段】チョップされた炭素繊維が混入されたゴムラテックスを通常手袋にコーティング、硬化する。【選択図】図１
0003138841.tif 000002
【実用新案登録請求の範囲】
【請求項１】
チョップした炭素繊維をゴムラテックスに混入した後、手のマネキンに浸漬し、硬化させて得る手袋。
【請求項２】
チョップした炭素繊維をゴムラテックスに混入し、手袋の一部または全面にコーティングした後、硬化することにより静電気を中和できる手袋。
【考案の詳細な説明】
【技術分野】
【０００１】
本考案はガソリンスタンドなどの油、溶剤取扱者および爆薬や粉末の取扱者や半導体デバイス、電子機器の取扱者など、静電気による災害の危険性のある作業をする人に対して、手袋を装着しておくことで自動的に静電気を中和して放電、発火を防ぐようにしたものである。
【０００２】
具体的には、チョップされた炭素繊維を混入したゴムラテックスを直接手のマネキンに浸漬してから硬化し、ゴム手袋にする。
【０００３】
また、ニット手袋の表面の一部または全面にチョップされた炭素繊維を混入したゴムラテックスをコーティングして、その後硬化することで滑り防止と静電気中和の効果をもたせた手袋である。
【背景技術】
【０００４】
近年、粉塵爆発などの災害や電子機器の絶縁破壊、可燃性物体への着火、爆発などの静電気によるトラブルが発生しており、未然に防ぐ方法を求めている。
【０００５】
身体に帯電している静電気を除去する為には、静電気除去用のタッチパネルや静電気除去シートなどが利用されているが、接触しなければ静電気を無くすことができない。忙しい場合は時々接触を忘れることが多々あり、事故に結びついてしまう。
【０００６】
制電手袋としては、導電性繊維フィラメントを編みこんで表面電気抵抗値を下げて静電気を除去する方法などがあるが、どうしても繊維が破断して手に刺さり、ちくちくすることがあった。
【特許文献１】特許公開2006-63456
【考案の開示】
【考案が解決しようとする課題】
【０００７】
静電気は目に見えないが、高電圧ともなると放電、発火するおそれがあり非常に危険な事故を引き起こす。注意をしていても軽率な行動で大災害に結びつく危険性をはらんでいる。この危険な現象を作業時に手袋を装着することで、無意識のうちに静電気を中和、低電圧にしてしまうのが最適な方法と考えられる。
また、従来の導電性繊維を編みこんだ手袋では作業中に破断して、手に刺さることがある問題が発生した。さらに工程上複雑な問題があった。
【０００８】
また、人体には動作をしているうちに静電気が蓄積され、気がつかない場合が多い。この帯電している静電気は電撃ショックを起こし易く、心臓に負担がかかる等の悪影響を及ぼす。
【課題を解決するための手段】
【０００９】
ゴムラテックスの中にチョップされた炭素繊維を混合、分散してから手の形のマネキンに塗布または浸漬した後熱硬化することによって薄いゴム手袋を得る。
【００１０】
通常の綿やナイロン、ゴムラテックス手袋など素材に関しては特に指定しなくとも良く、手袋を手の形のマネキンに嵌め、その後ゴムラテックスにチョップされた炭素繊維を混合分散したもので手袋の一部または全面に塗布または浸漬してさらに熱硬化すると得られる。
【００１１】
ゴムラテックスは特に指定しないが、通常の手袋用ゴムラテックスは使用可能である。
一般的には、天然ゴムラテックス、ＮＢＲラテックスなどの合成ゴムラテックスである。
また、熱で硬化するラテックスも使用できるが、加硫して硬化するのも効果的である。その場合の処方としては、硫黄、亜鉛華、加硫促進剤を配合したラテックスが好ましい。
【００１２】
炭素繊維は分散可能なものであれば良い。集束剤が付着していないものの方が分散しやすい傾向にある。また繊維長は０．２〜６．０ｍｍ程度が好ましい。繊維直径は通常１０〜８０μｍ程度を使用する。
【００１３】
ゴムラテックスへの炭素繊維の混合、分散は単純に配合するだけの場合もあるが、一般的には分散剤を使用する。非イオン系活性剤が効果的であるが、シリコーン系活性剤が特に好ましい。
炭素繊維の配合割合は、ゴムラテックスに対して０．５〜１０．０％、特に好ましくは、１〜６％である。
【００１４】
炭素繊維がゴムラテックスに混合され、硬化された後はゴムに覆われているため炭素繊維の皮膚に対するちくちくがなくなるので、手袋に使用しても問題がない。
【考案の効果】
【００１５】
手袋を装着しているだけで、無意識のうちに静電気が中和され、放電、発火による災害を未然に防ぐことが可能となる。
【００１６】
手袋を装着しながら電子機器を扱う場合、無意識のうちに絶縁破壊から逃れられる。
【考案を実施するための最良の形態】
【００１７】
本考案に使用される炭素繊維は０．２〜６ｍｍの長さのヤーンを切断したものが良く、適当な短さで分散しやすく、繊維状の形態が保たれているので先端部からコロナ放電して静電気を中和できる。
【００１８】
このチョップされた炭素繊維は表面に出た場合は皮膚に刺激するため、ゴムや合成樹脂で覆うのが好ましい。
【００１９】
手袋の滑り防止にはゴムラテックスが多く用いられ、チョップされた炭素繊維を組み込むことにより同時に静電気中和効果が付与され、事故を防止することができる。
【００２０】
実施例
【００２１】
ＮＢＲラテックスに硫黄、亜鉛華、加硫促進剤および集束剤の付着していないチョップされた炭素繊維を混合した。１３Ｇのナイロン手袋を手のマネキンに嵌め、前記混合されたラテックスに浸漬して、さらに酸で硬化、乾燥して完成させた。
【００２２】
同様に、１２GのT/C混手袋に該ラテックスを手のひら側だけに浸漬、硬化、乾燥して手袋を得た。
【００２３】
人体帯電圧測定器（日本スタテック社製）にて７ＫＶに帯電しているところに前記ラテックス処理したナイロン手袋を接触した時１．２ＫＶに急激に帯電圧が降下した。
【００２４】
静電気測定器（シムコ社製）にて、ポリエステル織布を摩擦で静電気を起こし、１．５ｃｍ離した地点で測定したら７ＫＶ電した。ここに前記T/C混手袋を１ｃｍの距離に近づけると帯電圧が１ＫＶに低下した。
さらに該手袋をその場所から取り除くと６ＫＶに戻った。
【産業上の利用可能性】
【００２５】
溶剤や爆薬、粉末の取扱者、および電子機器関連の取扱者は従来から目に見えない静電気からのトラブルに悩まされてきたが、この考案により業務中、常に装着することで無意識のうちに
危険から回避できる。各業界で充分に利用され得るものである。
【図面の簡単な説明】
【００２６】
【図１】チョップされた炭素繊維が混入したゴムコーティングの手袋を手のひら側と手の甲側から見たものの一例である。黒く塗った部分がゴムコーティングされたところを示す。指先の部分は作業性を落とさないようにコーティングしないほうが良い。
【図１】
0003138841.tif 000003
【手続補正書】
【提出日】平成19年11月14日(2007.11.14)
【手続補正１】
【補正対象書類名】実用新案登録請求の範囲
【補正対象項目名】全文
【補正方法】変更
【補正の内容】
【実用新案登録請求の範囲】
【請求項１】
手袋の少なくとも一部に、炭素繊維を混合したゴムラテックスを硬化したゴムを貼り付けたことを特徴とする手袋。
【手続補正２】
【補正対象書類名】明細書
【補正対象項目名】全文
【補正方法】変更
【補正の内容】
【考案の詳細な説明】
【技術分野】
【０００１】
本考案はガソリンスタンドなどの油、溶剤取扱者および爆薬や粉末の取扱者や半導体デバイス、電子機器の取扱者など、静電気による災害の危険性のある作業をする人に対して、手袋を装着しておくことで自動的に静電気を中和して放電、発火を防ぐようにしたものである。
【０００２】
具体的には、ニット手袋の表面の一部または全面にチョップされた炭素繊維を混入したゴムラテックスをコーティングして、その後硬化することで滑り防止と静電気中和の効果をもたせた手袋である。
【背景技術】
【０００３】
近年、粉塵爆発などの災害や電子機器の絶縁破壊、可燃性物体への着火、爆発などの静電気によるトラブルが発生しており、未然に防ぐ方法を求めている。
【０００４】
身体に帯電している静電気を除去する為には、静電気除去用のタッチパネルや静電気除去シートなどが利用されているが、接触しなければ静電気を無くすことができない。忙しい場合は時々接触を忘れることが多々あり、事故に結びついてしまう。
【０００５】
制電手袋としては、導電性繊維フィラメントを編みこんで表面電気抵抗値を下げて静電気を除去する方法などがあるが、どうしても繊維が破断して手に刺さり、ちくちくすることがあった。
【特許文献１】特許公開2006-63456
【考案の開示】
【考案が解決しようとする課題】
【０００６】
静電気は目に見えないが、高電圧ともなると放電、発火するおそれがあり非常に危険な事故を引き起こす。注意をしていても軽率な行動で大災害に結びつく危険性をはらんでいる。この危険な現象を作業時に手袋を装着することで、無意識のうちに静電気を中和、低電圧にしてしまうのが最適な方法と考えられる。
また、従来の導電性繊維を編みこんだ手袋では作業中に破断して、手に刺さることがある問題が発生した。さらに工程上複雑な問題があった。
【０００７】
また、人体には動作をしているうちに静電気が蓄積され、気がつかない場合が多い。この帯電している静電気は電撃ショックを起こし易く、心臓に負担がかかる等の悪影響を及ぼす。
【課題を解決するための手段】
【０００８】
通常の綿やナイロン、ゴムラテックス手袋など素材に関しては特に指定しなくとも良く、手袋を手の形のマネキンに嵌め、その後ゴムラテックスにチョップされた炭素繊維を混合分散したもので手袋の一部または全面に塗布または浸漬してさらに熱硬化すると得られる。
【０００９】
ゴムラテックスは特に指定しないが、通常の手袋用ゴムラテックスは使用可能である。
一般的には、天然ゴムラテックス、ＮＢＲラテックスなどの合成ゴムラテックスである。
また、熱で硬化するラテックスも使用できるが、加硫して硬化するのも効果的である。その場合の処方としては、硫黄、亜鉛華、加硫促進剤を配合したラテックスが好ましい。
【００１０】
炭素繊維は分散可能なものであれば良い。集束剤が付着していないものの方が分散しやすい傾向にある。また繊維長は０．２〜６．０ｍｍ程度が好ましい。繊維直径は通常１０〜８０μｍ程度を使用する。
【００１１】
ゴムラテックスへの炭素繊維の混合、分散は単純に配合するだけの場合もあるが、一般的には分散剤を使用する。非イオン系活性剤が効果的であるが、シリコーン系活性剤が特に好ましい。
炭素繊維の配合割合は、ゴムラテックスに対して０．５〜１０．０％、特に好ましくは、１〜６％である。
【００１２】
炭素繊維がゴムラテックスに混合され、硬化された後はゴムに覆われているため炭素繊維の皮膚に対するちくちくがなくなるので、手袋に使用しても問題がない。
【考案の効果】
【００１３】
手袋を装着しているだけで、無意識のうちに静電気が中和され、放電、発火による災害を未然に防ぐことが可能となる。
【００１４】
手袋を装着しているだけで、無意識のうちに静電気が中和され，放電、発火による災害を未然に防ぐことが可能となる。
【考案を実施するための最良の形態】
【００１５】
本考案に使用される炭素繊維は０．２〜６ｍｍの長さのヤーンを切断したものが良く、適当な短さで分散しやすく、繊維状の形態が保たれているので先端部からコロナ放電して静電気を中和できる。
【００１６】
このチョップされた炭素繊維は表面に出た場合は皮膚に刺激するため、ゴムや合成樹脂で覆うのが好ましい。
【００１７】
手袋の滑り防止にはゴムラテックスが多く用いられ、チョップされた炭素繊維を組み込むことにより同時に静電気中和効果が付与され、事故を防止することができる。
【００１８】
実施例
【００１９】
ＮＢＲラテックスに硫黄、亜鉛華、加硫促進剤および集束剤の付着していないチョップされた炭素繊維を混合した。１３Ｇのナイロン手袋を手のマネキンに嵌め、前記混合されたラテックスに浸漬して、さらに酸で硬化、乾燥して完成させた。
【００２０】
同様に、１２GのT/C混手袋に該ラテックスを手のひら側だけに浸漬、硬化、乾燥して手袋を得た。
【００２１】
人体帯電圧測定器（日本スタテック株式会社製）にて７KVに帯電しているところに前記ラテックス処理したナイロン手袋を接触した時１．２KVに急激に帯電圧が降下した。
【００２２】
静電気測定器（シムコ株式会社製）にて、ポリエステル織布を摩擦で静電気を起こし、１．５ｃｍ離した地点で測定したら７KVに帯電した。ここに前記T/C混手袋を１ｃｍの距離に近づけると帯電圧が１KVに低下した。
さらに該手袋をその場所から取り除くと６KVに戻った。
【産業上の利用可能性】
【００２３】
溶剤や爆薬、粉末の取扱者、および電子機器関連の取扱者は従来から目に見えない静電気からのトラブルに悩まされてきたが、この考案により業務中、常に装着することで無意識のうちに
危険から回避できる。各業界で充分に利用され得るものである。
【図面の簡単な説明】
【００２４】
【図１】チョップされた炭素繊維が混入したゴムコーティングの手袋を手のひら側と手の甲側から見たものの一例である。黒く塗った部分がゴムコーティングされたところを示す。指先の部分は作業性を落とさないようにコーティングしないほうが良い。